【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】  下記を具備する、可変レート受信器におけるレートエラーを検出するための方法：
符号化された音声信号を受信する；
符号化されたレートを供給するために音声信号にレート決定アルゴリズムを実行する；および
過去のレート情報を用いて、供給されたレート内のエラーを決定する。
【請求項２】  前記供給されたレート内のエラーを検出する工程は下記を具備する、請求項１の方法：
音声分類の知識および会話音声の音声特性に基づいて音声の連続するフレームの非合法なレート遷移のセットを作成する；
非合法レート遷移の発生を決定する。
【請求項３】  前記非合法レート遷移のセットは１／８レートフレームに引き続くフルレートフレームを具備する、請求項２の方法。
【請求項４】  前記非合法レート遷移のセットは１／８レートフレームに引き続くフルレート、タイプ１フレームを具備する、請求項２の方法。
【請求項５】  前記非合法レート遷移のセットは１／８レートフレームに引き続くハーフレート、タイプ１フレームを具備する、請求項２の方法。
【請求項６】  前記非合法レート遷移のセットはタイプ１フルレートフレームに引き続く１／４レートフレームを具備する、請求項２の方法。
【請求項７】  前記非合法レート遷移のセットはタイプ１ハーフレートフレームに引き続く１／４レートフレームを具備する、請求項２の方法。
【請求項８】  前記非合法レート遷移のセットはタイプ１フルレートフレームに引き続く１／８レートフレームを具備する、請求項２の方法。
【請求項９】  前記非合法レート遷移のセットはタイプ１ハーフレートフレームに引き続く１／８レートフレームを具備する、請求項２の方法。
【請求項１０】  前記非合法レート遷移のセットは、１／８レートフレームに引き続く、１／４レートフレームに引き続く、１／８レートフレームを具備する、請求項２の方法。
【請求項１１】  前記非合法レート遷移のセットは、１／８レートフレームに引き続く、ハーフレートフレームに引き続く、１／８レートフレームを具備する、請求項２の方法。
【請求項１２】  前記非合法レート遷移のセットは、１／８レートフレームに引き続く、フルレートフレームに引き続く、１／８レートフレームを具備する、請求項２の方法。
【請求項１３】  前記供給されたレート内のエラーを検出する工程は下記を具備する、請求項１の方法：
音声のフレームの少なくとも１つの予約されたビットを所定に符号化する；および
前記符号化された予約ビットに対応する受信した予約ビットの所定値を正当であると確認する。
【請求項１４】  前記供給されたレート内のエラーを検出する工程は下記を具備する、請求項１の方法：
音声のフレームに対する未使用のフィルタタイプ識別子を所定に符号化する；および
前記符号化されたフィルタタイプ識別子に対応する未使用のフィルタタイプ識別子の所定値を正当であると確認する。
【請求項１５】  前記フィルタタイプ識別子は２ビットで構成される、請求項１４の方法。
【請求項１６】  ４つの２ビットの組合せのうちの３つが３つのフィルタタイプを識別し、１つの２ビットのフィルタタイプ識別子組合せは使用されない、請求項１５の方法。
【請求項１７】  供給されたレート内でエラーを検出する工程は、固定コードブック利得と線形予測係数利得との間の関係を解析し、しきい値曲線を作成し、前記しきい値曲線に対して前記受信した音声が正当であると確認することを具備する、請求項１の方法。
【請求項１８】  メモリ状態リセット処理を実行することにより、検出されたレートエラーの影響を知覚的に平滑化することをさらに具備する、請求項１の方法。
【請求項１９】  前記メモリ状態リセット処理はゼロでメモリ値を上書きすることを具備する、請求項１８の方法。
【請求項２０】  前記メモリ状態リセット処理は初期化値でメモリ値を上書きすることを具備する、請求項１８の方法。
【請求項２１】  前記メモリ状態リセット処理は、固定コードブック利得のための移動平均ベクトル量子化器メモリに関して実行される、請求項１８の方法。
【請求項２２】  前記メモリ状態リセット処理は、励起メモリに関して実行される、請求項１８の方法。
【請求項２３】  前記メモリ状態リセット処理は、ＬＰＣ合成メモリに関して実行される、請求項１８の方法。
【請求項２４】  前記メモリ状態リセット処理は、ポストフィルタ合成メモリに関して実行される、請求項１８の方法。
【請求項２５】  下記を具備する、レートエラー検出システム：
符号化された音声信号を受信する手段；
符号化されたレートを供給するために、音声信号に関してレート決定アルゴリズムを実行する手段；および
過去のレート情報を用いて、前記供給されたレート内のエラーを検出する手段。
【請求項２６】  前記符号化された音声信号を受信する手段は、移動加入者ユニットである、請求項２５のエラー検出システム。
【請求項２７】  前記符号化された音声信号を受信する手段は、基地局トランシーバである、請求項２５のエラー検出システム。
【請求項２８】  前記供給されたレート内のエラーを検出する手段は、下記を具備する請求項２５のエラー検出システム：
音声分類の知識および会話音声の音声特性に基づいて、音声の連続するフレームの非合法な遷移のセットを作成する手段；および
非合法なレート遷移の発生を決定する手段。
【請求項２９】  前記非合法なレート遷移のセットを作成する手段は、１／８レートフレームに引き続くフルレートフレームの非合法なレート遷移を作成する手段を具備する、請求項２８のエラー検出システム。
【請求項３０】  前記非合法なレート遷移のセットを作成する手段は、１／８レートフレームに引き続くフルレート、タイプ１フレームの非合法なレート遷移を作成する手段を具備する、請求項２８のエラー検出システム。
【請求項３１】  前記非合法なレート遷移のセットを作成する手段は、１／８レートフレームに引き続くハーフレート、タイプ１フレームの非合法なレート遷移を作成する手段を具備する、請求項２８のエラー検出システム。
【請求項３２】  前記非合法なレート遷移のセットを作成する手段は、タイプ１フルレートフレームに引き続く１／４レートフレームの非合法なレート遷移を作成する手段を具備する、請求項２８のエラー検出システム。
【請求項３３】  前記非合法なレート遷移のセットを作成する手段は、タイプ１ハーフレートフレームに引き続く１／４レートフレームの非合法なレート遷移を作成する手段を具備する、請求項２８のエラー検出システム。
【請求項３４】  前記非合法なレート遷移のセットを作成する手段は、タイプ１フルレートフレームに引き続く１／８レートフレームの非合法なレート遷移を作成する手段を具備する、請求項２８のエラー検出システム。
【請求項３５】  前記非合法なレート遷移のセットを作成する手段は、タイプ１ハーフレートフレームに引き続く１／８レートフレームの非合法なレート遷移を作成する手段を具備する、請求項２８のエラー検出システム。
【請求項３６】  前記非合法なレート遷移のセットを作成する手段は、１／８レートフレームに引き続く、１／４レートフレームに引き続く、１／８レートフレームの非合法なレート遷移を作成する手段を具備する、請求項２８のエラー検出システム。
【請求項３７】  前記非合法なレート遷移のセットを作成する手段は、１／８レートフレームに引き続く、ハーフレートフレームに引き続く、１／８レートフレームの非合法なレート遷移を作成する手段を具備する、請求項２８のエラー検出システム。
【請求項３８】  前記非合法なレート遷移のセットを作成する手段は、１／８レートフレームに引き続く、フルレートフレームに引き続く、１／８レートフレームの非合法なレート遷移を作成する手段を具備する、請求項２８のエラー検出システム。
【請求項３９】  前記供給されたレート内のエラーを検出する手段は下記を具備する、請求項２５のエラー検出システム：
音声のフレームの少なくとも１つの予約ビットを所定値に符号化する手段；および
前記符号化された予約ビットに対応する受信した予約されたビットの前記所定値を正当であると確認する。
【請求項４０】  前記供給されたレート内のエラーを検出する手段は下記を具備する、請求項２５のエラー検出システム：
音声のフレームのための未使用フィルタタイプ識別子を所定値に符号化する手段；および
前記符号化されたフィルタタイプ識別子に対応する未使用のフィルタタイプ識別子の前記所定値を正当であると確認する。
【請求項４１】  前記供給されたレート内のエラーを検出する手段は、固定コードブック利得と線形予測係数利得との間の関係を解析し、しきい値曲線を作成する手段を具備する、請求項３７のエラー検出システム。
【請求項４２】  メモリ状態リセット処理を実行することにより前記検出されたレートエラーの影響を知覚的に平滑化する手段をさらに具備する、請求項２５のエラー検出システム。
【請求項４３】  前記メモリ状態リセット処理手段は、メモリ値をゼロで上書きする手段を具備する、請求項２５のエラー検出システム。
【請求項４４】  前記メモリ状態リセット処理手段は、メモリ値を初期化値で上書きする手段を具備する、請求項２５のエラー検出システム。
【請求項４５】  前記メモリ状態リセット処理手段は、固定コードブック利得のための移動平均ベクトル量子化器メモリに関してメモリ状態リセット処理を実行するための手段を具備する、請求項２５のエラー検出システム。
【請求項４６】  前記メモリ状態リセット処理手段は、励起メモリに関してメモリ状態リセット処理を実行するための手段を具備する、請求項２５のエラー検出システム。
【請求項４７】  前記メモリ状態リセット処理手段は、ＬＰＣ合成メモリに関してメモリ状態リセット処理を実行するための手段を具備する、請求項２５のエラー検出システム。
【請求項４８】  前記メモリ状態リセット処理手段は、ポストフィルタ合成メモリに関してメモリ状態リセット処理を実行するための手段を具備する、請求項２５のエラー検出システム。
【請求項４９】  前記メモリ状態リセット処理は、メモリ値を初期化値で上書きする手段を具備する、請求項２５のエラー検出システム。
【請求項５０】  下記を具備する、レートエラー検出システム：
符号化された音声信号を受信するための受信器；
前記音声信号にレート決定アルゴリズムを実行し、符号化されたレートを供給する、レート決定エレメント；および
過去のレート情報を用いて、前記供給されたレート内のエラーを検出するレートエラー検出器。
【請求項５１】  前記レートエラー検出器は、音声分類の知識と会話音声の音声特性に基づいて音声の連続するフレームの非合法なレート遷移のセットを作成し、非合法なレート遷移の発生を決定する非合法レート遷移発生器を具備する、請求項５０のレートエラー検出システム。
【請求項５２】  前記レートエラー検出器は下記を具備する、請求項５０のレートエラー検出システム：
音声のフレームの少なくとも１つの予約ビットを所定値に符号化するエンコーダ；および
前記符号化された予約ビットに対応する受信された予約ビットの前記所定値を正当であると確認するレートエラー検出器。
【請求項５３】  前記レートエラー検出器は下記を具備する、請求項５０のレートエラー検出システム：
音声のフレームの未使用のフィルタタイプ識別子を所定値に符号化するエンコーダ；および
符号化されたフィルタタイプ識別子に対応する未使用のフィルタタイプ識別子の前記所定値を正当であると確認するレートエラー検出器。
【請求項５４】  前記レートエラー検出器は、固定コードブック利得と線形予測係数利得との間の関係を解析し、しきい値曲線を作成し、前記しきい値曲線に対して前記受信した音声を正当化することにより前記供給されたエラー内のエラーを検出するレートエラー検出器を具備する、請求項５０のレートエラー検出システム。
【請求項５５】  前記レートエラー検出器は、メモリ状態リセット処理を実行することにより検出されたレートエラーの影響を知覚的に平滑化するためのレートエラー検出器を具備する、請求項５０のレートエラー検出システム。